(57)【要約】【課題】  ケース本体の裏面側を裏ケースで塞いだリモコン装置において、ケース本体の内部に浸入する水分を裏ケースに沿って下方へ誘導することができるリモコン装置を提供すること。【解決手段】  基板を装着するケース本体と、ケース本体の裏面側に取り付けられる裏ケースと、を備えたリモコン装置において、ケース本体は、裏面側端部の少なくとも上部の内周に裏ケースの端部と接するケース本体側接触部を備え、裏ケースは、ケース本体と接する上部の裏ケース側接触部から裏ケースの表面または裏面に沿って下方へ延びる水誘導溝を有している。【選択図】  図１
2018084390.tif 000002
【特許請求の範囲】
【請求項１】
基板を装着するケース本体と、前記ケース本体の裏面側に取り付けられる裏ケースと、を備えたリモコン装置において、
前記ケース本体は、裏面側端部の少なくとも上部の内周に前記裏ケースの端部と接するケース本体側接触部を備え、
前記裏ケースは、前記ケース本体と接する上部の裏ケース側接触部から前記裏ケースの表面または裏面に沿って下方へ延びる水誘導溝を有している、
ことを特徴とするリモコン装置。
【請求項２】
前記水誘導溝は、水分を毛細管現象で誘導する複数本の溝で構成されている、
請求項１に記載のリモコン装置。
【請求項３】
前記水誘導溝は、前記裏ケースの内面に形成されている、
請求項１または２に記載のリモコン装置。
【請求項４】
前記水誘導溝は、少なくとも一部が前記裏ケースの上部から下部の排水位置まで連続する溝となっている、
請求項１〜３のいずれか１項に記載のリモコン装置。
【発明の詳細な説明】
【技術分野】
【０００１】
本発明は、表示モジュールなどを備えたリモコン装置に関する。
【背景技術】
【０００２】
従来、リモコン装置には液晶表示部などを有する表示モジュールが備えられ、使用者が操作内容などを確認できるようになっている。表示モジュールは、リモコン装置のケース本体における表面側に取り付けられ、ケース本体の裏面側は裏ケースで塞がれている。
【０００３】
例えば、図７に示すように、上記構造のリモコン装置１００として、ケース本体１１０の後端部１１３に凹形状の段部１１４を全周に設け、この段部１１４に裏ケース１４０の周囲が嵌り込むようにしたものがある。このような構造のリモコン装置１００では、ケース本体１１０の表面側に表示モジュール１２０が取り付けられ、内部に基板１３０が設けられ、背面側が裏ケース１４０で塞がれて一体的なリモコン装置１００となっている。そして、裏ケース１４０が壁面１５０に設けられた取付金具１５１に取り付けられる。このようなリモコン装置１００において、例えば、台所で使用される給湯器用などのリモコン装置は、通常、水がかかることがないため、防水、防滴仕様ではない。
【０００４】
しかし、台所で使用されるリモコン装置でも、壁面１５０に飛散した水や洗剤、蒸気などの水分Ｗ（この明細書及び特許請求の範囲の書類中における「水分」は、水以外に洗剤などの液体を含む）が壁面１５０を垂れてリモコン装置１００に至る場合がある。この場合、上記したようにケース本体１１０と裏ケース１４０とが、凹形状の段部１１４を全周に設けて嵌め込む構造となっていても、裏ケース１４０とケース本体１１０との接触部分から内部に水分Ｗが浸入することがある。
【０００５】
なお、リモコン装置において水滴などの浸入を防止する先行技術として、本出願人が先に出願したリモコン装置がある（例えば、特許文献１参照）。このリモコン装置では、表示部を備えたリモコン装置本体とカバー体との間の領域への水滴やダスト類が浸入しないように、それぞれから突出させたリブが上下位置で重なるようにしている。
【０００６】
また、他の先行技術として、インターホンの筐体の嵌合部に断面が櫛歯状の突起を設けて雨水の浸入を防止するものもある（例えば、特許文献２参照）。
【先行技術文献】
【特許文献】
【０００７】
【特許文献１】特開２００８−１８５２９４号公報
【特許文献２】特開平１１−２３３９５５号公報
【発明の概要】
【発明が解決しようとする課題】
【０００８】
ところで、上記したようにケース本体１１０と裏ケース１４０との接触部から内部に浸入した水分Ｗは、ケース本体１１０の内部上面１１２を伝って表面側へと伝わるおそれがある。この水分Ｗは、基板１３０に落下するおそれがある。また、ケース本体１１０の表面側に取り付けられた表示モジュール１２０の方向へと伝わるおそれがある。そして、ケース本体１１０の表示モジュール１２０を収容する凹状部１１１の上部に配線部１２２を通す空間があれば、この空間から水分Ｗが表示部１２１に付着するおそれがある。表示モジュール１２０にタッチパネルの液晶表示部を採用している場合には、表示モジュール１２０へと伝わった水分Ｗが液晶表示部に入り、タッチパネルの操作性を悪化させたり、液晶表示部の表示面に水が付着して美観を損ねるなどの不具合を生じるおそれがある。
【０００９】
なお、上記特許文献１，２では、いずれもリブを僅かな隙間で重なるようにして水などの浸入を防止するものであり、ケース本体の裏面側を裏ケースで塞ぐような構造のリモコン装置には採用が難しい。
【００１０】
本発明は、ケース本体の裏面側に裏ケースを取り付けて塞いだリモコン装置において、ケース本体の内部に浸入した水分を裏ケースに沿って下方へ誘導することができるリモコン装置を提供することを目的とする。
【課題を解決するための手段】
【００１１】
上記目的を達成するために、本発明は、基板を装着するケース本体と、前記ケース本体の裏面側に取り付けられる裏ケースと、を備えたリモコン装置において、前記ケース本体は、裏面側端部の少なくとも上部の内周に前記裏ケースの端部と接するケース本体側接触部を備え、前記裏ケースは、前記ケース本体と接する上部の裏ケース側接触部から前記裏ケースの表面または裏面に沿って下方へ延びる水誘導溝を有している。この明細書及び特許請求の範囲の書類中における「水誘導溝」は、水分を毛細管現象などによって誘導することができる溝をいう。また、裏ケースの「内面」を「表面」、「外面」を「裏面」という。
【００１２】
この構成により、裏ケースとケース本体との間から浸入した水分は、ケース本体側接触部と裏ケース側接触部の接触部分から水誘導溝に導かれて裏ケースに沿って下方へと誘導することができる。よって、裏ケースとケース本体との間から浸入した水分がケース本体の表面側へ伝わるのを抑制することができる。
【００１３】
また、前記水誘導溝は、水分を毛細管現象で誘導する複数本の溝で構成されていてもよい。このように構成すれば、複数本の水誘導溝によって、所定範囲に浸入した水分を裏ケースに沿って下方へと誘導することができる。
【００１４】
また、前記水誘導溝は、前記裏ケースの内面に形成されていてもよい。このように構成すれば、裏ケースの内側に浸入した水分を水誘導溝に沿って下方へと誘導することができる。
【００１５】
また、前記水誘導溝は、少なくとも一部が前記裏ケースの上部から下部の排水位置まで連続する溝となっていてもよい。このように構成すれば、裏ケースの上部から下部まで連続する水誘導溝で水分を排水位置まで導くことができる。よって、ケース本体の上部から内部に浸入した水分をケース本体の下部から適切に排出することができる。
【発明の効果】
【００１６】
本発明によれば、ケース本体の裏面側から内部に浸入した水分を裏ケースに沿って下方へ誘導することができる。よって、ケース本体に浸入した水分が表面側の基板などへ伝わるのを抑制することが可能となる。
【図面の簡単な説明】
【００１７】
【図１】図１は、本発明の第１実施形態に係るリモコン装置の正面図である。
【図２】図２は、図１に示すII−II矢視の拡大断面図である。
【図３】図３は、図２に示す裏ケースの内面図である。
【図４】図４（Ａ）は、図３に示すIV−IV矢視の拡大断面図であり、図４（Ｂ）は、同一断面における他の例の拡大断面図である。
【図５】図５（Ａ）は、図２に示すリモコン装置における上部を示す拡大断面図であり、図５（Ｂ）は、図４（Ｂ）に示す他の例の拡大断面図である。
【図６】図６は、本発明の第２実施形態に係る裏ケースの内面図である。
【図７】図７は、従来のリモコン装置における上部を示す拡大断面図である。
【発明を実施するための形態】
【００１８】
以下、本発明の実施形態を図面に基づいて説明する。以下の実施形態では、裏ケース４０の内面（表面）に沿って水分Ｗを下方へ誘導する例を説明する。この明細書及び特許請求の範囲の書類中における上下左右方向の概念は、図１に示すリモコン装置１に向かった状態における上下左右方向の概念と一致するものとする。
【００１９】
図１，２に示すように、この実施形態のリモコン装置１は、正面視が矩形状のケース本体１０と、このケース本体１０の表面側に取り付けられる表示モジュール２０を備えている。表示モジュール２０は、表面側に表示部２１を備え、ケース本体１０の表面側の上部に形成された凹状部１１に収容されて取り付けられている。表示モジュール２０を凹状部１１に収容することで、リモコン装置１の表面側は平面状に形成されている。表示モジュール２０をケース本体１０の凹状部１１に収容して支持することにより、表示モジュール２０にタッチパネルを採用した場合には、表示モジュール２０を押す力をケース本体１０で受けることができる。ケース本体１０の内部には、表示モジュール２０と配線部２２で接続される基板３０が装着されている。基板３０は、ケース本体１０の凹状部１１から背面方向に少し離れて設けられている。
【００２０】
ケース本体１０の裏面側端部１３には、内周に裏ケース４０の周囲の端部と接するケース本体側接触部である段部１４が形成され、この段部１４に裏ケース４０の周囲の端部に形成された裏ケース側接触部である係合部４１が接するように嵌め込まれる。リモコン装置１は、ケース本体１０に表示モジュール２０と基板３０が取り付けられ、ケース本体１０の全周に設けられた段部１４に裏ケース４０の係合部４１が接するように嵌め込まれて一体となっている。
【００２１】
図２に示す状態は、壁面５０に取付金具５１が設けられ、この取付金具５１に裏ケース４０が取り付けられている。裏ケース４０と取付金具５１との係合は、例えば、取付金具５１の表面側に爪部材（図示略）を突出させ、この爪部材に裏ケース４０を引っ掛けるような構造とすることができる。
【００２２】
そして、この実施形態の裏ケース４０の上部の係合部４１には、ケース本体１０の段部１４と接する部分から内面（表面）に沿って下方へ延びる水誘導溝４２が形成されている。
【００２３】
図３は、図２に示す裏ケース４０の内面図であり、図４（Ａ）は、図３に示すIV−IV矢視の拡大断面図であり、図４（Ｂ）は、同一断面における他の例の拡大断面図である。図３及び図４（Ａ）に示すように、この実施形態の水誘導溝４２は、裏ケース４０の裏面側である取付金具５１との接触面に溝部４３が設けられているため（図４）、この溝部４３と所定距離をあけた裏ケース４０の表面における上部位置にのみ設けられている。水誘導溝４２は、裏ケース４０におけるケース本体１０の段部１４と接する上部位置の係合部４１（裏ケース側接触部）から下方に向けて延びるように設けられている。この水誘導溝４２は、裏ケース４０の左右方向に並列した複数本が設けられている。
【００２４】
なお、この実施形態では、上記溝部４３と所定距離をあける関係で、裏ケース４０の左右方向の両端部の水誘導溝４２が長く、中央部分の水誘導溝４２が短い構成となっているが、この水誘導溝４２の長さ、形態は一実施形態である。
【００２５】
また、図４（Ｂ）に示すように、上記水誘導溝４２は、裏ケース４０の裏面に設けてもよい。この場合の水誘導溝４２も、裏ケース４０の係合部４１がケース本体１０の段部１４に嵌め込まれた状態で接する上部位置（裏ケース側接触部）から下方に向けて延びるように設けられる。なお、水誘導溝４２は、裏ケース４０の裏面と表面の両方に設けることもできる。
【００２６】
図５（Ａ）は、図２に示すリモコン装置１における上部を示す拡大断面図であり、図５（Ｂ）は、図４（Ｂ）に示す他の例の拡大断面図である。図５（Ａ）に示すように、上記裏ケース４０の表面に設けられた水誘導溝４２によれば、壁面５０を伝ってリモコン装置１のケース本体１０に達した水分Ｗは、ケース本体１０の内面に沿って裏ケース４０と接する段部１４に至る。そして、ケース本体１０の段部１４と裏ケース４０の係合部４１との間から内部に浸入した水分Ｗは、段部１４の部分に接する係合部４１から裏ケース４０の内面に設けられた水誘導溝４２に沿って裏ケース４０の内面へと導かれる。水誘導溝４２は、毛細管現象を生じる寸法で形成されており、ケース本体１０の内部に浸入した水分Ｗは、ケース本体１０の内部上面１２に沿って表面側へと伝わる前に裏ケース側接触部の係合部４１から水誘導溝４２へと誘導される。
【００２７】
つまり、水誘導溝４２は、ケース本体１０のケース本体側接触部である段部１４と裏ケース４０の裏ケース側接触部である係合部４１との接触部分から浸入した水分Ｗが、細い溝に触れる際に発生する毛細管現象を利用して水誘導溝４２へと誘導されるようになっている。水誘導溝４２は、例えば、幅寸法は１ｍｍ程度が好ましいが、水分Ｗを裏ケース４０に沿って下方へ誘導することができる溝であればよい。水誘導溝４２は、異なる幅寸法のものを組み合わせることもできる。
【００２８】
したがって、上記水誘導溝４２によれば、壁面５０からケース本体１０と裏ケース４０の間から内部に浸入した水分Ｗを裏ケース４０に沿って下方へと誘導するので、ケース本体１０の内面に沿って基板３０や表示モジュール２０の方向に伝わる水分Ｗを抑制することができる。これにより、基板３０や表示モジュール２０が水分Ｗによって不具合を生じることを防止できる。
【００２９】
また、図５（Ｂ）に示すように、水誘導溝４２を裏ケース４０の裏面に設けた場合には、壁面５０からケース本体１０と裏ケース４０の間から内部に浸入しようとした水分Ｗを裏ケース４０の裏面に設けた水誘導溝４２に沿って下方へ誘導することができる。この例の場合、水誘導溝４２に沿って溝部４３へ水分Ｗを誘導している。
【００３０】
図６は、第２実施形態に係る裏ケース４５の内面図である。上記第１実施形態の裏ケース４０と同一の構成には同一符号を付し、その説明は省略する。この実施形態の裏ケース４５は、一部の水誘導溝４２が上部から下部まで連続するように設けられている。
【００３１】
この実施形態の裏ケース４５には、図の左部分の水誘導溝４２は、上部の係合部４１から下部まで連続するように形成されている。図の右部分の水誘導溝４２は、裏ケース４５の中央部分で左部分の水誘導溝４２に連続するように形成されている。このように、この実施形態の水誘導溝４２は、下端が裏ケース４５の下部に至るように連続して形成されている。水誘導溝４２を裏ケース４５の上部から下部まで形成する場合、少なくとも一部の水誘導溝４２を裏ケース４５の上部から下部まで連続するようにすればよい。
【００３２】
この実施形態の水誘導溝４２によれば、ケース本体１０と裏ケース４５との間から浸入した水分Ｗを（図５）、裏ケース４５の上部から水誘導溝４２に導いて裏ケース４５の下部まで誘導することができる。よって、この実施形態によれば、裏ケース４５に沿って下方へ導く水分Ｗを、裏ケース４５の下部における所望の排水位置から排出するようにできる。
【００３３】
なお、この実施形態でも、裏ケース４５の形状などに応じて、裏面の上部から下部まで連続する水誘導溝４２を設けてもよい。水誘導溝４２は、表面と裏面の両方に設けることもできる。
【００３４】
以上のように、上記リモコン装置１によれば、ケース本体１０の裏面側を裏ケース４０，４５で塞ぐ構造のリモコン装置１において、ケース本体１０のケース本体側接触部である段部１４と裏ケース４０の裏ケース側接触部である係合部４１との接触部分から浸入した水分Ｗを裏ケース４０の水誘導溝４２に沿って下方へと誘導し、基板３０や表示モジュール２０の方向へ伝わることを抑制できる。これにより、例えば、台所で使用されるリモコン装置１などにおいて、壁面５０を伝ってケース本体１０の内部に浸入した水分Ｗによって基板３０や表示モジュール２０に不具合が生じることを防止することが可能となる。すなわち、基板３０の不具合や、表示モジュール２０の液晶表示部などに水分Ｗが入って操作性の悪化や美観を損ねるなどの不具合が生じることを防止することが可能となる。
【００３５】
なお、上記した実施形態のリモコン装置１は一例であり、ケース本体１０のケース本体側接触部と裏ケース４０，４５の裏ケース側接触部は段部１４と係合部４１の構成以外に傾斜面などでもよく、異なる構成のリモコン装置１でも同様に適用でき、リモコン装置１の構成は上記実施形態に限定されるものではない。
【００３６】
また、上記した実施形態では、裏ケース４０，４５の左右方向における中央部分にのみ水誘導溝４２を設けた例を説明したが、裏ケース４０，４５の左右方向の全位置に水誘導溝４２を設けても、他の一部分のみに設けてもよい。水誘導溝４２は、基板３０や表示モジュール２０に向かって水分Ｗが伝わらないようにしたい部分に設ければよく、水誘導溝４２を形成する位置、範囲、方向などはリモコン装置１に応じて形成可能であり、本発明の要旨を損なわない範囲での種々の構成を変更してもよく、本発明は上記した実施形態に限定されるものではない。
【符号の説明】
【００３７】
１  リモコン装置
１０  ケース本体
１３  裏面側端部
１４  段部（ケース本体側接触部）
２０  表示モジュール
２２  配線部
４０  裏ケース
４１  係合部（裏ケース側接触部）
４２  水誘導溝
４５  裏ケース
５０  壁面
５１  取付金具
Ｗ  水分
【図１】
2018084390.tif 000003
【図２】
2018084390.tif 000004
【図３】
2018084390.tif 000005
【図４】
2018084390.tif 000006
【図５】
2018084390.tif 000007
【図６】
2018084390.tif 000008
【図７】
2018084390.tif 000009